(57)【要約】【課題】熱転写用記録媒体を熱転写プリンタに装着する際にインクリボンへの塵および埃の付着を防ぎ、品位の高い印画物を得ることができる熱転写用記録媒体およびその梱包構造を提供することを目的とする。【解決手段】熱転写用記録媒体１００は、記録媒体本体部２０と、記録媒体本体部２０を密閉する包装材４とを備えている。包装材４は、記録媒体本体部２０の上側部分を覆う第１包装部５と、記録媒体本体部２０の下側部分を覆う第２包装部６と、第１包装部５および第２包装部６を接合し記録媒体本体部２０を内包する密閉空間を形成する接合部４ａと、接合部４ａによる接合を解除可能な把手部４ｂとを有している。【選択図】図１
2019072872.tif 000002
【特許請求の範囲】
【請求項１】
熱転写プリンタに使用される熱転写用記録媒体であって、
記録媒体本体部と、
前記記録媒体本体部を密閉する包装材と、
を備え、
前記包装材は、前記記録媒体本体部の上側部分を覆う第１包装部と、前記記録媒体本体部の下側部分を覆う第２包装部と、前記第１包装部および前記第２包装部を接合し前記記録媒体本体部を内包する密閉空間を形成する接合部と、前記接合部による接合を解除可能な把手部とを有する、熱転写用記録媒体。
【請求項２】
前記第１包装部は、前記記録媒体本体部の側面の上側部分を覆う第１側壁部と、前記第１側壁部の端部が上方に折り曲げられた第１折り曲げ部とを有し、
前記第２包装部は、前記記録媒体本体部の側面の下側部分を覆う第２側壁部と、前記第２側壁部の端部が下方に折り曲げられた第２折り曲げ部とを有し、
前記接合部において、前記第１折り曲げ部および前記第２折り曲げ部は互いに噛み合っている、請求項１記載の熱転写用記録媒体。
【請求項３】
前記接合部にミシン目が設けられた、請求項１記載の熱転写用記録媒体。
【請求項４】
前記第１包装部は、前記記録媒体本体部の側面の上側部分を覆う第１側壁部を有し、
前記第２包装部は、前記記録媒体本体部の側面の下側部分を覆う第２側壁部を有し、
前記接合部は、前記第１側壁部の端部および前記第２側壁部の端部が熱融着された固着点を有する、請求項１記載の熱転写用記録媒体。
【請求項５】
熱転写プリンタに使用される熱転写用記録媒体を梱包する熱転写用記録媒体の梱包構造であって、
前記熱転写用記録媒体を密閉する包装材を、
備え、
前記包装材は、前記熱転写用記録媒体の上側部分を覆う第１包装部と、前記熱転写用記録媒体の下側部分を覆う第２包装部と、前記第１包装部および前記第２包装部を接合し前記熱転写用記録媒体を内包する密閉空間を形成する接合部と、前記接合部による接合を解除可能な把手部とを有する、熱転写用記録媒体の梱包構造。
【発明の詳細な説明】
【技術分野】
【０００１】
本発明は、熱転写用記録媒体を用いる熱転写プリンタにおいて、熱転写用記録媒体を交換する際に熱転写用記録媒体に付着する埃を防ぐ梱包構造を有する熱転写用記録媒体およびその梱包構造に関するものである。
【背景技術】
【０００２】
ベースフィルム上にインクが塗布されたインクリボンを備える熱転写用記録媒体がある。従来の熱転写用記録媒体では、保護シートでインクリボンの外周を巻く梱包構造であった。これにより、手で直接インクリボンに触れることを防止し、インクリボンに傷をつけたり、手が汚れることを防いでいた（例えば、特許文献１参照）。
【先行技術文献】
【特許文献】
【０００３】
【特許文献１】特開２００６−２４０２８０号公報
【発明の概要】
【発明が解決しようとする課題】
【０００４】
従来の熱転写用記録媒体は、保護シートが完全にインクリボンを覆っていない梱包構造であるため、帯電に伴う塵および埃の付着を完全に防ぐことができなかった。
【０００５】
また、梱包材と保護シートを一体とした多重梱包構造であっても、熱転写用記録媒体の交換時、熱転写用記録媒体を熱転写プリンタへ装着する前に梱包材および保護シートを取り外す必要があり、このときに埃が付着していた。そのため、埃がインクリボンと記録紙との間に入り込み、この埃の部分により印画欠点が生じ、印画品位を著しく損なうという問題があった。
【０００６】
そこで、本発明は、熱転写用記録媒体を熱転写プリンタに装着する際にインクリボンへの塵および埃の付着を防ぎ、品位の高い印画物を得ることができる熱転写用記録媒体およびその梱包構造を提供することを目的とする。
【課題を解決するための手段】
【０００７】
本発明に係る熱転写用記録媒体は、熱転写プリンタに使用される熱転写用記録媒体であって、記録媒体本体部と、前記記録媒体本体部を密閉する包装材とを備え、前記包装材は、前記記録媒体本体部の上側部分を覆う第１包装部と、前記記録媒体本体部の下側部分を覆う第２包装部と、前記第１包装部および前記第２包装部を接合し前記記録媒体本体部を内包する密閉空間を形成する接合部と、前記接合部による接合を解除可能な把手部とを有するものである。
【発明の効果】
【０００８】
本発明によれば、熱転写用記録媒体は、記録媒体本体部と、記録媒体本体部を密閉する包装材とを備え、包装材は、記録媒体本体部の上側部分を覆う第１包装部と、記録媒体本体部の下側部分を覆う第２包装部と、第１包装部および第２包装部を接合し記録媒体本体部を内包する密閉空間を形成する接合部と、接合部による接合を解除可能な把手部とを有する。
【０００９】
熱転写用記録媒体が熱転写プリンタに装着された後、把手部を介して接合部による接合が解除され、包装材のみが熱転写プリンタの外部に引き抜かれる。したがって、熱転写用記録媒体を熱転写プリンタに装着する際にインクリボンへの塵および埃の付着を防ぐことができる。これにより、品位の高い印画物を得ることができる。
【図面の簡単な説明】
【００１０】
【図１】実施の形態１に係る熱転写用記録媒体の平面図である。
【図２】実施の形態１に係る熱転写用記録媒体の背面図である。
【図３】実施の形態１に係る熱転写用記録媒体の側面図である。
【図４】実施の形態１に係る熱転写用記録媒体が備える記録媒体本体部の平面図である。
【図５】実施の形態１に係る熱転写用記録媒体が備える記録媒体本体部の背面図である。
【図６】実施の形態１に係る熱転写用記録媒体が備える記録媒体本体部の側面図である。
【図７】図１のＡ−Ａ線断面図である。
【図８】実施の形態１に係る熱転写用記録媒体がインクリボンカセットに装着された状態の平面図である。
【図９】実施の形態１に係る熱転写用記録媒体がインクリボンカセットに装着された状態の背面図である。
【図１０】実施の形態１に係る熱転写用記録媒体がインクリボンカセットに装着された状態の側面図である。
【図１１】実施の形態１に係る熱転写用記録媒体が装着されたインクリボンカセットを熱転写プリンタに挿入した状態を側方から視た動作説明図である。
【図１２】包装材を熱転写用記録媒体から引き抜いた状態を側方から視た動作説明図である。
【図１３】インクリボンカセットの挿入と包装材の引き抜きに関する動作を説明するフローチャートである。
【図１４】実施の形態２に係る熱転写用記録媒体の平面図である。
【図１５】実施の形態２に係る熱転写用記録媒体の背面図である。
【図１６】実施の形態２に係る熱転写用記録媒体の側面図である。
【図１７】図１４のＢ−Ｂ線断面図である。
【図１８】実施の形態３に係る熱転写用記録媒体の接合部の断面図である。
【発明を実施するための形態】
【００１１】
＜実施の形態１＞
本発明の実施の形態１について、図面を用いて以下に説明する。
【００１２】
（構成）
図１は、実施の形態１に係る熱転写用記録媒体１００の平面図である。図２は、熱転写用記録媒体１００の背面図である。図３は、熱転写用記録媒体１００の側面図である。図４は、熱転写用記録媒体１００が備える記録媒体本体部２０の平面図である。図５は、熱転写用記録媒体が備える記録媒体本体部２０の背面図である。図６は、熱転写用記録媒体が備える記録媒体本体部２０の側面図である。図７は、図１のＡ−Ａ線断面図である。
【００１３】
図１〜図３に示すように、熱転写用記録媒体１００（以下、「記録媒体１００」という）は、熱転写プリンタに使用される熱転写用の記録媒体であり、記録媒体本体部２０および包装材４を備えている。なお、図１においてＹ方向は前方、Ｘ方向は右方として説明する。
【００１４】
先ず、記録媒体本体部２０について説明する。図４〜図６に示すように、記録媒体本体部２０は、インクリボン１およびボビン２，３を備えている。ボビン２，３は水平方向に所定の間隔をあけて配置されている。インクリボン１の一端側はボビン２にロール状に巻かれ、インクリボン１の他端はボビン３に固定されている。インクリボン１は、耐熱性を有するベースフィルムとインクとを備え、ベースフィルム上にインクが塗布されている。
【００１５】
次に、包装材４について説明する。図１〜図３に示すように、記録媒体本体部２０は、柔軟性と導電性とを有する軟質プラスチックフィルム、または紙からなる包装材４により密閉されている。包装材４は、第１包装部５、第２包装部６、接合部４ａ、および把手部４ｂを備えている。第１包装部５は、記録媒体本体部２０の上側部分を覆うことが可能に包装材４の上側部分を構成している。第２包装部６は、記録媒体本体部２０の下側部分を覆うことが可能に包装材４の下側部分を構成している。なお、ボビン２，３は包装材４から露出している。
【００１６】
図１〜図３、および図７に示すように、第１包装部５は、第１側壁部５ａおよび第１折り曲げ部５ｂを有している。第１側壁部５ａは、第１包装部５の上面から下方に延びる形状であり、記録媒体本体部２０の側面全体の上側部分を覆う。第１折り曲げ部５ｂは、第１側壁部５ａの端部が上方に折り曲げられることで形成されている。
【００１７】
第２包装部６は、第２側壁部６ａおよび第２折り曲げ部６ｂを有している。第２側壁部６ａは、第２包装部６の下面から上方に延びる形状であり、記録媒体本体部２０の側面全体の下側部分を覆う。第２折り曲げ部６ｂは、第２側壁部６ａの端部が下方に折り曲げられることで形成されている。
【００１８】
第２包装部６の第２側壁部６ａは、第１包装部５の第１側壁部５ａの外側に配置されている。接合部４ａは、包装材４の後側面を除く左右側面および前側面の中央部に沿って設けられ、第１包装部５および第２包装部６を接合し記録媒体本体部２０を内包する密閉空間を形成している。なお、包装材４の後側面、すなわち、第１包装部５および第２包装部６の後側面は一体的に形成されている。把手部４ｂは、包装材４の後側面から後方に突出するように設けられている。
【００１９】
第１包装部５および第２包装部６は、第２側壁部６ａの端部と第１側壁部５ａの端部が重なるように配置され、接合部４ａにおいて、第１折り曲げ部５ｂおよび第２折り曲げ部６ｂは互いに噛み合っている。すなわち、接合部４ａは、第１折り曲げ部５ｂおよび第２折り曲げ部６ｂにより構成されている。また、第１折り曲げ部５ｂおよび第２折り曲げ部６ｂは、所定の引っ張り力で離れるように組み合わされている。そのため、接合部４ａは、所定の引っ張り力で接合が解除可能となっている。より具体的には、包装材４は、所定の引っ張り力が作用すると容易に変形する素材である軟質プラスチックフィルムまたは紙からなるため、把手部４ｂを介して接合部４ａに所定の引っ張り力が作用すると包装材４が変形する。包装材４の変形により、第１折り曲げ部５ｂおよび第２折り曲げ部６ｂの噛み合いが解除され、接合部４ａによる接合が解除される。
【００２０】
（動作）
次に、記録媒体１００の取り付け動作について説明する。図８は、記録媒体１００がインクリボンカセット７に装着された状態の平面図である。図９は、記録媒体１００がインクリボンカセット７に装着された状態の背面図である。図１０は、記録媒体１００がインクリボンカセット７に装着された状態の側面図である。図１１は、記録媒体１００が装着されたインクリボンカセット７を熱転写プリンタ８に挿入した状態を側方から視た動作説明図である。図１２は、包装材４を記録媒体１００から引き抜いた状態を側方から視た動作説明図である。図１３は、インクリボンカセット７の挿入と包装材４の引き抜きに関する動作を説明するフローチャートである。なお、図１１と図１２では、本実施の形態の説明に不要な、熱転写プリンタ８の内部のプリント機構および保持機構などの図示を省略している。
【００２１】
図８〜図１０に示すように、記録媒体１００の取り付け動作が行われる前に、記録媒体１００はインクリボンカセット７に装着される。インクリボンカセット７は、記録媒体１００の下側部分を保持する部材である。
【００２２】
図１１と図１３に示すように、最初に、操作者により熱転写プリンタ８の開閉扉８ａが開けられ（ステップＳ１）、記録媒体１００を装着したインクリボンカセット７が、熱転写プリンタ８の内部に挿入される（ステップＳ２）。そして、図１２と図１３に示すように、操作者により包装材４の把手部４ｂが掴まれて熱転写プリンタ８の外部に向かって引き抜かれることで、包装材４が変形し包装材４の接合部４ａが解除される。これにより、包装材４のみが熱転写プリンタ８の外部に引き抜かれる（ステップＳ３）。その後、操作者により開閉扉８ａが閉じられ（Ｓ４）、記録媒体１００の取り付け動作が終了する。
【００２３】
（効果）
一般的に、熱転写プリンタ８は、室内の壁際などに設置されることが多く、熱転写プリンタ８と壁または床との間に埃が溜まりやすい。そのため、周囲に埃が多く存在している環境にて記録媒体を交換することになり、埃による印画欠点はますます顕著になるという問題があった。
【００２４】
また、熱転写プリンタ８の内部に埃が侵入しないように、記録媒体の交換前に周囲の埃を除去清掃することは、時間と手間がかかり、また空気中に浮遊している埃の除去は技術的にもコスト的にも非常に困難であった。
【００２５】
また、清掃道具を記録媒体が備えるインクリボンに接触させて、付着した埃を除去することは、インクリボンの表面を擦ることで傷をつけてしまい、傷を原因とした印画欠点が生じてしまうという問題があった。
【００２６】
また、インクリボンに埃が付着しないように梱包されていたとしても、熱転写プリンタ８の内部に記録媒体を挿入する前に包装材を取り除かなければならない。そのため、包装材を取り除いてから熱転写プリンタ８の内部に記録媒体を挿入するまでの間に周囲の埃がインクリボンに付着してしまい、埃による印画欠点が生じてしまうという問題があった。
【００２７】
このような問題に対し、本実施の形態１では、記録媒体１００は、記録媒体本体部２０と、記録媒体本体部２０を密閉する包装材４とを備え、包装材４は、記録媒体本体部２０の上側部分を覆う第１包装部５と、記録媒体本体部２０の下側部分を覆う第２包装部６と、第１包装部５および第２包装部６を接合し記録媒体本体部２０を内包する密閉空間を形成する接合部４ａと、接合部４ａによる接合を解除可能な把手部４ｂとを有する。
【００２８】
記録媒体１００が熱転写プリンタ８に装着された後、操作者により把手部４ｂが外部へ引っ張られることで接合部４ａによる接合が解除され、包装材４のみが熱転写プリンタ８の外部に引き抜かれる。したがって、記録媒体１００を熱転写プリンタ８に装着する際に、インクリボン１への塵および埃の付着を防ぐことができる。これにより、品位の高い印画物を得ることができる。以上より、接合部４ａによる接合を解除する構成を簡単な構成で実現できるため、記録媒体１００の小型化を図ることができる。
【００２９】
第１包装部５は、記録媒体本体部２０の側面の上側部分を覆う第１側壁部５ａと、第１側壁部５ａの端部が上方に折り曲げられた第１折り曲げ部５ｂとを有し、第２包装部６は、記録媒体本体部２０の側面の下側部分を覆う第２側壁部６ａと、第２側壁部６ａの端部が下方に折り曲げられた第２折り曲げ部６ｂとを有し、接合部４ａにおいて、第１折り曲げ部５ｂおよび第２折り曲げ部６ｂは互いに噛み合っている。
【００３０】
したがって、操作者により把手部４ｂが外部へ引っ張られることで、第１折り曲げ部５ｂと第２折り曲げ部６ｂとを離すことができる。これにより、接合部４ａによる接合の解除を容易に行うことができる。
【００３１】
なお、上記の説明では記録媒体１００がインクリボンカセット７に装着され保持されているが、これ以外の方法で記録媒体１００を保持しても、上記と同様の効果を得ることができる。また、インクリボンカセット７を使用せずに、例えば、記録媒体１００は熱転写プリンタ８に直接装着され保持されていてもよい。
【００３２】
＜実施の形態２＞
次に、実施の形態２に係る記録媒体１００Ａについて説明する。図１４は、記録媒体１００Ａの平面図である。図１５は、記録媒体１００Ａの背面図である。図１６は、記録媒体１００Ａの側面図である。図１７は、図１４のＢ−Ｂ線断面図である。なお、実施の形態２において、実施の形態１で説明したものと同一の構成要素については同一符号を付して説明は省略する。
【００３３】
実施の形態１では、接合部４ａは、第１折り曲げ部５ｂおよび第２折り曲げ部６ｂにより構成され、第１折り曲げ部５ｂおよび第２折り曲げ部６ｂは、所定の引っ張り力で離れるように組み合わされているとして説明したが、これに限定されるものではない。
【００３４】
図１４〜図１７に示すように、記録媒体１００Ａは、記録媒体本体部２０および包装材９を備えている。
【００３５】
記録媒体本体部２０は、柔軟性と導電性とを有する軟質プラスチックフィルム、または紙からなる包装材９により密閉されている。包装材９は、第１包装部１０、第２包装部１１、接合部９ａ、把手部９ｂ、およびカット部９ｃを備えている。第１包装部１０は、記録媒体本体部２０の上側部分を覆うことが可能に包装材９の上側部分を構成している。第２包装部１１は、記録媒体本体部２０の下側部分を覆うことが可能に包装材９の下側部分を構成している。なお、ボビン２，３は包装材９から露出している。
【００３６】
接合部９ａは、包装材９の後側面を除く左右側面および前側面の中央部に沿って設けられ、第１包装部１０および第２包装部１１を接合し記録媒体本体部２０を内包する密閉空間を形成している。なお、包装材９の後側面、すなわち、第１包装部１０および第２包装部１１の後側面は一体的に形成されている。把手部９ｂは、包装材９の後側面から後方に突出するように設けられている。
【００３７】
包装材９は、所定の引っ張り力が作用すると容易に変形する素材である軟質プラスチックフィルムまたは紙からなるため、把手部を介して接合部９ａに所定の引っ張り力が作用した場合に包装材９が変形する。図１７に示すように、接合部９ａには、包装材９が変形した場合に第１包装部１０および第２包装部１１が離れるように、ミシン目状（換言すると破線状）のカット部９ｃが設けられている。
【００３８】
実施の形態１の場合と同様に、包装材９で密閉された記録媒体本体部２０を装着したインクリボンカセット７が、熱転写プリンタ８の内部に挿入される。その後、操作者により包装材９の把手部９ｂが熱転写プリンタ８の外部に向かって引き抜かれることで、包装材９が変形しカット部９ｃを介して第１包装部１０および第２包装部１１が離れて、包装材９の接合部９ａが解除され、包装材９のみが熱転写プリンタ８の外部に引き抜かれる。
【００３９】
このように、実施の形態２では、接合部９ａにミシン目状のカット部９ｃが設けられたため、実施の形態１の場合と同様に、記録媒体１００Ａを熱転写プリンタ８に装着する際に、インクリボン１への塵および埃の付着を防ぐことができる。これにより、品位の高い印画物を得ることができるという効果が得られる。
【００４０】
また、実施の形態２では、第１包装部１０および第２包装部１１の側壁部の端部を折り曲げて互いに噛み合わせる必要がないため、包装材９の接合部９ａにおける密閉の工程が簡単になり、包装材９および記録媒体１００Ａの製造コストを低減することができる。
【００４１】
＜実施の形態３＞
次に、実施の形態３に係る記録媒体１００Ｂについて説明する。図１８は、実施の形態３に係る記録媒体１００Ｂの接合部１２ａの断面図である。また、図１８は、実施の形態３の図７および図１７相当図である。なお、実施の形態３において、実施の形態１，２で説明したものと同一の構成要素については同一符号を付して説明は省略する。
【００４２】
図１８に示すように、実施の形態３では、包装材１２の接合部１２ａは、熱融着された固着点であるヒートシール１２ｃを有している。
【００４３】
以下、詳細について説明する。記録媒体本体部２０は、柔軟性と導電性とを有する軟質プラスチックフィルムからなる包装材１２により密閉されている。包装材１２は、第１包装部１３、第２包装部１４、接合部１２ａ、把手部（図示省略）、およびヒートシール１２ｃを備えている。第１包装部１３は、記録媒体本体部２０の上側部分を覆うことが可能に包装材１２の上側部分を構成している。第２包装部１４は、記録媒体本体部２０の下側部分を覆うことが可能に包装材１２の下側部分を構成している。なお、ボビン２，３は包装材１２から露出している。
【００４４】
第１包装部１３は、第１側壁部１３ａを有している。第１側壁部１３ａは、第１包装部１３の上面から下方に延びる形状であり、記録媒体本体部２０の側面全体の上側部分を覆う。第２包装部１４は、第２側壁部１４ａを有している。第２側壁部１４ａは、第２包装部１４の下面から上方に延びる形状であり、記録媒体本体部２０の側面全体の下側部分を覆う。
【００４５】
接合部１２ａは、包装材１２の後側面を除く左右側面および前側面の中央部に沿って設けられ、第１包装部１３および第２包装部１４を接合し記録媒体本体部２０を内包する密閉空間を形成している。なお、包装材１２の後側面、すなわち、第１包装部１３および第２包装部１４の後側面は一体的に形成されている。把手部は、包装材１２の後側面から後方に突出するように設けられている。
【００４６】
接合部１２ａには、第１側壁部１３ａの端部および第２側壁部１４ａの端部が熱融着されたヒートシール１２ｃが設けられている。包装材１２は、所定の引っ張り力が作用すると容易に変形する素材である軟質プラスチックフィルムからなるため、把手部を介して接合部１２ａに所定の引っ張り力が作用した場合に包装材１２が変形する。包装材１２の変形によりヒートシール１２ｃが剥がれるような接着強度を有する。
【００４７】
このように、実施の形態３では、第１包装部１３は、記録媒体本体部２０の側面の上側部分を覆う第１側壁部１３ａを有し、第２包装部１４は、記録媒体本体部２０の側面の下側部分を覆う第２側壁部１４ａを有し、接合部１２ａは、第１側壁部１３ａの端部および第２側壁部１４ａの端部が熱融着された固着点としてのヒートシール１２ｃを有する。
【００４８】
したがって、実施の形態１の場合と同様に、記録媒体１００Ｂを熱転写プリンタ８に装着する際に、インクリボン１への塵および埃の付着を防ぐことができる。これにより、品位の高い印画物を得ることができるという効果が得られる。
【００４９】
また、インクリボン１の密閉性がさらに高まるとともに、包装材１２の接合部１２ａにおける密閉の工程がさらに簡単になり、包装材１２および記録媒体１００Ｂの製造コストをさらに低減することができる。
【００５０】
なお、本発明は、その発明の範囲内において、各実施の形態を自由に組み合わせたり、各実施の形態を適宜、変形、省略することが可能である。
【符号の説明】
【００５１】
４  包装材、４ａ  接合部、４ｂ  把手部、５  第１包装部、５ａ  第１側壁部、５ｂ  第１折り曲げ部、６  第２包装部、６ａ  第２側壁部、６ｂ  第２折り曲げ部、９  包装材、９ａ  接合部、９ｂ  把手部、９ｃ  カット部、１０  第１包装部、１１  第２包装部、１２  包装材、１２ａ  接合部、１２ｃ  ヒートシール、１３  第１包装部、１３ａ  第１側壁部、１４  第２包装部、１４ａ  第２側壁部、２０  記録媒体本体部、１００，１００Ａ，１００Ｂ  熱転写用記録媒体。
【図１】
2019072872.tif 000003
【図２】
2019072872.tif 000004
【図３】
2019072872.tif 000005
【図４】
2019072872.tif 000006
【図５】
2019072872.tif 000007
【図６】
2019072872.tif 000008
【図７】
2019072872.tif 000009
【図８】
2019072872.tif 000010
【図９】
2019072872.tif 000011
【図１０】
2019072872.tif 000012
【図１１】
2019072872.tif 000013
【図１２】
2019072872.tif 000014
【図１３】
2019072872.tif 000015
【図１４】
2019072872.tif 000016
【図１５】
2019072872.tif 000017
【図１６】
2019072872.tif 000018
【図１７】
2019072872.tif 000019
【図１８】
2019072872.tif 000020